(57)【特許請求の範囲】
【請求項１】
支持部材と、
前記支持部材に直接的、または間接的に支持され、回転軸と、回転軸を回転する駆動部とを有する駆動装置と、
前記回転軸の先端に取り付けられる回転基部を有する指針と、
表示面側に前記指針が配置されるように前記駆動部と前記指針との間に配置され、前記表示面に指標を表示する表示パネルであって、前記回転軸を貫通させるパネル側貫通孔を有する表示パネルと、
前記表示パネルの前記表示面に前記パネル側貫通孔を中心とする仮想円に沿って前記指標を表示させるように前記表示パネルを制御する制御装置と、を有する指針計器であって、
前記支持部材は、前記パネル側貫通孔の内壁に対面し、前記内壁と接することで前記回転軸と前記パネル側貫通孔の中心軸とがほぼ一致するように前記表示パネルを支持するとともに、前記表示パネルの前記表示面に沿った方向への移動を規制する支持面を備えるパネル支持部を有し、
前記表示パネルは、一対の電極板の間に、前記制御装置にて前記電極板の電極に選択的に電圧をかけることにより、部分的に発光させたり、発光させなかったりする制御を行うことで前記表示面に情報を表示させる自発光物質が封入される自発光式表示パネルであり、
前記支持部材の前記パネル支持部は、前記一対の前記電極板に設けられた前記パネル側貫通孔のうち、前記表示パネルの前記表示面の反対側の前記電極板に設けられた前記パネル側貫通孔の前記内壁を支持し、
前記表示面側の前記電極板の前記パネル側貫通孔の内径は、前記表示面の反対側の前記電極板の前記パネル側貫通孔の内径よりも小さいことを特徴とする指針計器。
【請求項２】
支持部材と、
前記支持部材に直接的、または間接的に支持され、回転軸と、回転軸を回転する駆動部とを有する駆動装置と、
前記回転軸の先端に取り付けられる回転基部を有する指針と、
表示面側に前記指針が配置されるように前記駆動部と前記指針との間に配置され、前記表示面に指標を表示する表示パネルであって、前記回転軸を貫通させるパネル側貫通孔を有する表示パネルと、
前記表示パネルの前記表示面に前記パネル側貫通孔を中心とする仮想円に沿って前記指標を表示させるように前記表示パネルを制御する制御装置と、を有する指針計器であって、
前記支持部材は、前記パネル側貫通孔の内壁に対面し、前記内壁と接することで前記回転軸と前記パネル側貫通孔の中心軸とがほぼ一致するように前記表示パネルを支持するとともに、前記表示パネルの前記表示面に沿った方向への移動を規制する支持面を備えるパネル支持部を有し、
前記表示パネルは、光源と、一対の電極板の間に、前記制御装置にて前記電極板の電極に選択的に電圧をかけることにより、部分的に前記光源の光を透過させたり、透過させなかったりする制御を行うことで前記表示面に情報を表示させる液晶が封入される液晶パネル部と、を有する液晶表示パネルであり、
前記支持部材の前記パネル支持部は、前記一対の前記電極板に設けられた前記パネル側貫通孔のうち、前記表示パネルの前記表示面の反対側の前記電極板に設けられた前記パネル側貫通孔の前記内壁を支持し、
前記表示面側の前記電極板の前記パネル側貫通孔の内径は、前記表示面の反対側の前記電極板の前記パネル側貫通孔の内径よりも小さいことを特徴とする指針計器。
【発明の詳細な説明】
【技術分野】
【０００１】
本発明は、指針計器に関する。
【背景技術】
【０００２】
従来、指針の回転軸周囲の文字盤を文字や目盛などの指標を表示可能な液晶表示パネルに代えた指針計器が知られている（特許文献１、２参照）。
【０００３】
上記液晶表示パネルには、指針を回転駆動する回転軸を貫通させる貫通孔が設けられている。また、特許文献１の液晶表示パネルの表示面には、指針が指し示す目盛や文字などの指標が指針の回転軸を中心とした仮想円上に表示される。
【０００４】
液晶表示パネルは、特許文献２に記載されているように、液晶表示パネルの表示面側に配置される見返し板の開口部の周縁部、および液晶表示パネルの表示面とは反対側に配置される指針計器の電気部品を実装する回路基板に設けられた環状隔壁にて挟み込むことによって指針計器のケースに固定されている。
【特許文献１】特開２０００−２５００５０号公報
【特許文献２】特開２００１−３０４９１９号公報
【発明の開示】
【発明が解決しようとする課題】
【０００５】
しかしながら、上記特許文献２に記載されているように、液晶表示パネルが指針計器のケースに固定されていると、液晶表示パネルと指針の回転軸とがずれることがある。液晶表示パネルには、指針の回転軸、つまり貫通孔の中心を中心とした仮想円上に指針が指し示す目盛や文字などの指標を表示させているので、液晶表示パネルと指針の回転軸がずれると、指針は液晶表示パネルに表示された指標を正確に指し示すことができなくなるという問題が発生する。
【０００６】
本発明の目的は、表示パネルに表示された目盛や文字などの指標を指針が正確に指し示すことができる指針計器を提供することである。
【課題を解決するための手段】
【０００７】
請求項１に記載の発明は、支持部材と、支持部材に直接的、または間接的に支持され、回転軸と、回転軸を回転する駆動部とを有する駆動装置と、回転軸の先端に取り付けられる回転基部を有する指針と、表示面側に指針が配置されるように駆動部と指針との間に配置され、表示面に指標を表示する表示パネルであって、回転軸を貫通させるパネル側貫通孔を有する表示パネルと、表示パネルの表示面にパネル側貫通孔を中心とする仮想円に沿って指標を表示させるように表示パネルを制御する制御装置と、を有する指針計器であって、
支持部材は、パネル側貫通孔の内壁に対面し、内壁と接することで回転軸とパネル側貫通孔の中心軸とがほぼ一致するように表示パネルを支持するとともに、表示パネルの表示面に沿った方向への移動を規制する支持面を備えるパネル支持部を有し、表示パネルは、一対の電極板の間に、制御装置にて電極板の電極に選択的に電圧をかけることにより、部分的に発光させたり、発光させなかったりする制御を行うことで表示面に情報を表示させる自発光物質が封入される自発光式表示パネルであり、支持部材のパネル支持部は、一対の電極板に設けられたパネル側貫通孔のうち、表示パネルの表示面の反対側の電極板に設けられたパネル側貫通孔の内壁を支持し、表示面側の電極板のパネル側貫通孔の内径は、表示面の反対側の電極板のパネル側貫通孔の内径よりも小さいことを特徴としている。
また、請求項２に記載の発明は、支持部材と、支持部材に直接的、または間接的に支持され、回転軸と、回転軸を回転する駆動部とを有する駆動装置と、回転軸の先端に取り付けられる回転基部を有する指針と、表示面側に指針が配置されるように駆動部と指針との間に配置され、表示面に指標を表示する表示パネルであって、回転軸を貫通させるパネル側貫通孔を有する表示パネルと、表示パネルの表示面にパネル側貫通孔を中心とする仮想円に沿って指標を表示させるように表示パネルを制御する制御装置と、を有する指針計器であって、
支持部材は、パネル側貫通孔の内壁に対面し、内壁と接することで回転軸とパネル側貫通孔の中心軸とがほぼ一致するように表示パネルを支持するとともに、表示パネルの表示面に沿った方向への移動を規制する支持面を備えるパネル支持部を有し、表示パネルは、光源と、一対の電極板の間に、制御装置にて電極板の電極に選択的に電圧をかけることにより、部分的に光源の光を透過させたり、透過させなかったりする制御を行うことで表示面に情報を表示させる液晶が封入される液晶パネル部と、を有する液晶表示パネルであり、支持部材のパネル支持部は、一対の電極板に設けられたパネル側貫通孔のうち、表示パネルの表示面の反対側の電極板に設けられたパネル側貫通孔の内壁を支持し、表示面側の電極板のパネル側貫通孔の内径は、表示面の反対側の電極板のパネル側貫通孔の内径よりも小さいことを特徴としている。
【０００８】
この構成によれば、駆動装置は、支持部材に対して直接的、または間接的に支持されている。このため、駆動装置の回転軸は支持部材に対して所定の位置に配置される。支持部材は、支持部材は、パネル側貫通孔の内壁に対面し、内壁と接することで回転軸とパネル側貫通孔の中心軸とがほぼ一致するように表示パネルを支持するとともに、表示パネルの表示面に沿った方向への移動を規制する支持面を備えるパネル支持部を有する。
【０００９】
このため、表示パネルは支持部材に対して回転軸とパネル側貫通孔の中心軸とがほぼ一致する位置に支持される。このため、指針は、表示パネルの表示面にパネル側貫通孔を中心とする仮想円に沿って表示された指標（文字や目盛など）を正確に指し示すことができる。
【００１０】
特に、請求項１、２に記載の発明は、支持部材のパネル支持部は、一対の電極板に設けられたパネル側貫通孔のうち、表示パネルの表示面の反対側の電極板に設けられたパネル側貫通孔の内壁を支持し、表示面側の電極板のパネル側貫通孔の内径は、表示面の反対側の電極板のパネル側貫通孔の内径よりも小さいことを特徴としている。この構成によれば、表示パネルの表示面の反対側に設けられる電極板に設けられたパネル側貫通孔の内壁を支持部材のパネル支持部に支持させているので、回転軸と表示パネルのパネル側貫通孔の中心軸とをほぼ一致させることができる。また、パネル支持部は、表示パネルの表示面の反対側の電極板に設けられたパネル側貫通孔の内壁を支持しているので、表示面側の電極板の貫通孔の内径を極力小さくすることができる。その結果、指針の回転基部の外径を小さくすることができ、指針の見栄えを向上させることができる。
【００１１】
また、請求項１に記載のように、表示パネルとして、一対の電極板の間に、制御装置にて電極板の電極に選択的に電圧をかけることにより、部分的に発光させたり、発光させなかったりする制御を行いうことで表示面に情報を表示させる自発光物質が封入される自発光式表示パネルを使用することができる。さらに、請求項２に記載のように、表示パネルとして、光源と、一対の電極板の間に、制御装置にて電極板の電極に選択的に電圧をかけることにより、部分的に光源の光を透過させたり、透過させなかったりする制御を行うことで表示面に情報を表示させる液晶が封入される液晶パネル部と、を有する液晶表示パネルを使用することができる。
【発明を実施するための最良の形態】
【００１３】
以下、本発明の複数の実施形態を図面に基づいて説明する。なお、以下の各実施形態相互において、互いに同一若しくは均等である部分には、図中、同一符号を付してある。
【００１４】
（第１実施形態）
図１は、本発明の第１実施形態による指針計器としての車速計を組み込んだコンビネーションメータの正面図である。図１において、コンビネーションメータ１０は、車両の運転席前方、若しくは中央部のインストルメントパネル内に配置され、車両の各種情報などを表示する。
【００１５】
コンビネーションメータ１０は、指針を備えた指針計器を３つ備えている。図１中、左側からエンジン回転計１１、車速計１２、燃料計１３がそれぞれ配置されている。エンジン回転計１１と車速計１２との間、および車速計１２と燃料計１３との間には、車両の状況、例えば、バッテリ異常、エンジンオイル異常、ハンドブレーキの状況などを絵文字、図案、記号などで表示する表示灯１４が複数個、配置されている。
【００１６】
さらに、車速計１２の左右には、図示しない方向指示器レバーの操作に応じて点滅する方向指示灯１５が配置されている。車速計１２の下方には、車両の総走行距離（ＯＤＯ）や、走行距離（ＴＲＩＰ）を表示する表示器１６が配置されている。表示器１６としては、ＥＬパネルや液晶パネルなどを用いることができる。
【００１７】
表示器１６の左側には、表示器１６の内容（ＯＤＯ、ＴＲＩＰ）を切り替えたり、走行距離（ＴＲＩＰ）のリセットを指示したりするための切替スイッチ１７が配置されている。なお、この表示器１６には、時間、エンジン回転数、瞬間燃費、平均燃費などの情報を表示させてもよい。
【００１８】
図２は、車速計１２の断面図である。図１および図２に示すように、車速計１２は、指針３０、表示面６１に文字や目盛からなる指標６９を表示するＥＬパネル６０などを備え、指針３０の指針部３１にて表示面６１に表示される指標６９を指し示すことにより、車両の速度を表示する。
【００１９】
ＥＬパネル６０は、表示面６１を見返し板７７側に向けて、見返し板７７とケース７０との間に配置されている。ＥＬパネル６０は、見返し板７７側に配置される陽極を表面に形成した陽極側電極板６２と、ケース７０側に配置される陰極を表面に形成した陰極側電極板６３とを有し、両電極板６２、６３の外周部の間には、外周側シール部材６５が挟持されている。両電極板６２、６３の略中央部の間には、内周側シール部材６６が挟持されている。また、陽極側電極板６２の表示面６１側には、偏光板６２ａが設けられている。
【００２０】
両電極板６２、６３、外周側シール部材６５および内周側シール部材６６によって形成される空間には、陽極と陰極との間に電圧を印加することにより自ら発光する自発光物質６４が封入されている。自発光物質６４としては、例えば、低分子系発光材料であるアルミニウム錯体や、高分子系発光材料であるΠ共役ポリマー、低分子色素含有ポリマーなどがある。
【００２１】
両電極板６２、６３の内周側シール部材６６よりもさらに内周側には、両電極板６２、６３を貫くパネル側貫通孔６７が形成されている。パネル側貫通孔６７は、後述するムーブメント２０の回転軸２１が貫通する孔である。
【００２２】
陽極側電極板６２は、例えば、透明なガラス基板であり、この電極板６２に形成される陽極も透明なものとなっている。陽極としては、例えば、ＩＴＯ（Ｉｎｄｉｕｍ  Ｔｉｎ  Ｏｘｉｄｅ）が使用される。このため、陽極、陰極間に電圧を印加させ、自発光物質６４が発光すると、その光は陽極側電極板６２から見返し板７７側に出射される。
【００２３】
本実施形態のＥＬパネル６０では、複数の画素を有し、画素ごとに発光、非発光を制御することができるように陽極、陰極が両電極板６２、６３に形成されている。各画素の発光、非発光を制御することにより、表示面６１上に、パネル側貫通孔６７を中心とする仮想円上に沿って指標（文字や目盛など）６９を表示する（図１参照）。
【００２４】
図２に示すように、ＥＬパネル６０は、陰極側電極板６３側に配置される樹脂性の支持プレート７１に設けられた爪部７６にて支持される。本実施形態の支持プレート７１が請求項に記載の支持部材に相当する。支持プレート７１は、ケース７０と一体的に形成される、またはケース７０に対して強固に取り付けられる部材である。
【００２５】
爪部７６は、複数個形成されており、ＥＬパネル６０の周縁部を支持し、見返し板７７への移動を規制する。また、爪部７６は、ＥＬパネル６０の表示面６１に沿った方向に撓むように形成されている。これにより、ＥＬパネル６０は、見返し板７７およびケース７０側への移動が規制されつつも、爪部７６が撓む範囲で表示面６１に沿った方向に移動することが可能である。
【００２６】
支持プレート７１には、円筒状のパネル支持部７２がＥＬパネル６０に向かって延びるように設けられている。パネル支持部７２は、陰極側電極板６３の内壁６８に対面する外周壁面７３にて陰極側電極板６３に形成されたパネル側貫通孔６７の内壁６８を支持する。外周壁面７３が請求項に記載の支持面に相当する。パネル支持部７２の外径は、パネル側貫通孔６７の内径とほぼ同じ径となっており、パネル側貫通孔６７に差し込まれることにより、ＥＬパネル６０の表示面６１に沿った方向の位置が決定される。
【００２７】
また、パネル支持部７２は、パネル側貫通孔６７を差し込んだとき、ムーブメント２０の回転軸２１とパネル側貫通孔６７の中心軸とがほぼ一致する位置に形成されている。また、パネル支持部７２の内部には、パネル支持部７２および支持プレート７１を貫く支持側貫通孔７４が形成されている。この支持側貫通孔７４はムーブメント２０の回転軸２１が貫通する孔である。
【００２８】
パネル側貫通孔６７には、内壁６８およびパネル支持部７２の内壁を覆うカバー１００が設けられている。これにより、発光ダイオード４２から発せられる光がＥＬパネル６０に侵入することを防止することができる。また、偏光板６２ａのカバー１００が係合する周辺には黒印刷が施されている。
【００２９】
本実施形態では、パネル支持部７２は円筒状に形成されているが、パネル側貫通孔６７の内壁６８に対面する面を有し、内壁６８に差し込んだとき、ＥＬパネル６０の表示面６１に沿った方向への移動が規制でき、回転軸２１とパネル側貫通孔６７の中心軸とをほぼ一致する位置に固定することができればよい。例えば、複数の円柱を有し、それらの円柱がほぼ等間隔にパネル側貫通孔６７の内壁６８に沿って並んで配置されているようなものであってもよいし、三角や四角などの多角形の角部でパネル側貫通孔６７の内壁６８を支持するようなものであってもよい。
【００３０】
ＥＬパネル６０の表示面６１側には、指針３０が配置される。指針３０は、先端部にＥＬパネル６０の表示面６１に表示される指標６９を指し示す指針部３１と、回転基部３２とを有している。回転基部３２は、ボス部３３と遮光キャップ３４から構成されている。ボス部３３は、ムーブメント２０の回転軸２１の先端部に取り付けられ、指針３０はこの回転軸２１を中心に表示面６１に沿って回転する。遮光キャップ３４は、ボス部３３に被せられる部材であって、外径がパネル側貫通孔６７の内径よりも大きく、表示面６１側から見たときに陽極側電極板６２に形成されたパネル側貫通孔６７が見えないようにする部材である。
【００３１】
ムーブメント２０は、先端部に指針３０のボス部３３を支持する回転軸２１と、回転軸２１を回転駆動するモータ部２２とを有し、支持プレート７１の裏側に設けられる。モータ部２２は、例えば、交差コイル式アクチュエータ、あるいはステッピングモータなどであり、外部からの電気信号（本実施形態では車速信号）に対応した角度だけ回転軸２１を回転する。
【００３２】
支持プレート７１の裏側には、回路基板４０が設けられており、モータ部２２は、回転軸２１が回路基板４０に形成される孔部４１、支持プレート７１のパネル支持部７２の支持側貫通孔７４、ＥＬパネル６０のパネル側貫通孔６７を通るように回路基板４０の裏側に設けられる。
【００３３】
回路基板４０は、回路基板４０に形成される孔部４１の中心軸と、支持プレート７１に形成される支持側貫通孔７４の中心軸とがほぼ一致するように、支持プレート７１の裏側面から突出する基板支持部７５に支持されている。回路基板４０と基板支持部７５とは、例えば、ねじなどの締結手段によって固定されている。回路基板４０には、ムーブメント２０の他に、発光ダイオード４２と、ＥＬパネル６０やモータ部２２や発光ダイオード４２を制御するコントローラ４３が実装されている。発光ダイオード４２は、孔部４１の周縁部に複数個実装されており、指針３０のボス部３３に光を供給し、指針３０のボス部３３から指針部３１までを発光表示させる。
【００３４】
次に、本実施形態によるコンビネーションメータ１０の電気回路構成および作動について図３の電気回路構成図に基づいて説明する。
【００３５】
図３に示すように、コントローラ４３には、バッテリ５０から電力が常時供給されている。また、コントローラ４３には、イグニッションスイッチ５１がその作動状態（ＯＮまたはＯＦＦ）を検出可能に接続されている。コントローラ４３には、自動車の走行速度を検出する車速センサ５２が検出信号を入力可能に接続されている。そして、コントローラ４３には、制御対象である、ＥＬパネル６０、発光ダイオード４２およびムーブメント２０が接続されている。
【００３６】
コントローラ４３が、イグニッションスイッチ５１がＯＮされたことを検知すると、コンビネーションメータ１０の表示制御作動を開始する。具体的には、コントローラ４３は、ＥＬパネル６０を作動させ、表示面６１に指標６９を表示する。そして、コントローラ４３は発光ダイオード５１を点灯し、指針３０を発光表示させる。
【００３７】
同時に、コントローラ４３は、車速センサ５２からの検出信号に基づきムーブメント２０のモータ部２２を駆動して回転軸２１を所定角度、すなわち自動車の走行速度に対応する角度に回動させて自動車の走行速度を表示する。
【００３８】
コントローラ４３が、イグニッションスイッチ５１がＯＦＦされたことを検知すると、コントローラ４３は、発光ダイオード４２を消灯するとともに、ＥＬパネル６０およびムーブメント２０の駆動を停止する。
【００３９】
本実施形態では、ムーブメント２０が回路基板４０に対して所定の位置、具体的には、回転軸２１が回路基板４０の孔部４１の中心軸とほぼ一致する位置に取り付けられる。そして、回路基板４０は、支持プレート７１に対して所定の位置、具体的には、回転軸２１が支持プレート７１の支持側貫通孔７４の中心軸とほぼ一致する位置に取り付けられる。
【００４０】
支持プレート７１のパネル支持部７２は、その外周壁面７３にてＥＬパネル６０のパネル側貫通孔６７の内壁６８を、回転軸２１とパネル側貫通孔６７の中心軸とがほぼ一致するように支持している。その結果、指針３０の指針部３１が、ＥＬパネル６０の表示面６１に、パネル側貫通孔６７を中心とする仮想円上に沿って表示された指標６９を正確に指し示すことができる車速計１２を提供することができる。
【００４１】
また、パネル支持部７２により、ＥＬパネル６０を回転軸２１とパネル側貫通孔６７の中心軸とがほぼ一致させるように支持しているので、ＥＬパネル６０がずれて、表示面６１に表示された指標６９の一部が見返し板７７の裏側に隠れてしまうことを抑制できる。
【００４２】
なお、本実施形態では、ムーブメント２０を、回路基板４０を介して支持プレート７１に支持させるようにしているが、ムーブメント２０は直接、支持プレート７１に支持させるようにしてもよい。
【００４３】
また、図４に示すように、ＥＬパネル６０の代わりに液晶表示パネル８０などの表示パネルを使用してもよい。液晶表示パネル８０は、液晶パネル部８３と液晶パネル部８３を裏側から照らすバックライト８２とを備える。
【００４４】
液晶パネル部８３は、見返し板７７側に配置される対向電極を表面に形成した対向電極側電極板８４と、ケース７０側に配置される画素電極を表面に形成した画素電極側電極板８５とを有し、両電極板８４、８５の外周部の間には、外周側シール部材８７が挟持されている。両電極板８４、８５の略中央部の間には、内周側シール部材８８が挟持されている。また、対向電極側電極板８４の表示面８１側には、偏光板８４ａが設けられている。偏光板８４ａのカバー１００が係合する周辺には黒印刷が施されている。そして、画素電極側電極板８５のバックライト８２側の面には、偏光板８５ａが設けられている。
【００４５】
両電極板８４、８５はそれぞれ透明なガラス基板であり、両電極板８４、８５に形成される各電極も透明なものとなっている。透明な電極の材料としては、例えば、ＩＴＯ（Ｉｎｄｉｕｍ  Ｔｉｎ  Ｏｘｉｄｅ）が使用される。
【００４６】
両電極板８４、８５、外周側シール部材８７および内周側シール部材８８によって形成される空間には、対向電極と画素電極との間に電圧を印加することによりバックライト８２からの光を透過する液晶８６が封入されている。液晶８６の材料としては、例えば、ネマティック液晶やスメクティック液晶などがある。
【００４７】
この液晶パネル部８３では、複数の画素を有し、画素ごとに光の透過、非透過を制御することができるように対向電極、画素電極が両電極板８４、８５に形成されている。各画素の光の透過、非透過を制御することにより、表示面８１上に指標６９を表示するようにしている（図１参照）。
【００４８】
両電極板８４、８５の内周側シール部材８８よりもさらに内周側には、両電極板８４、８５を貫くパネル側貫通孔８９が形成されている。そして、バックライト８２にも、パネル側貫通孔８９に対応する位置にバックライト側貫通孔９１が形成されている。パネル側貫通孔８９およびバックライト側貫通孔９１は、ムーブメント２０の回転軸２１が貫通する孔である。
【００４９】
液晶表示パネル８０は、支持プレート７１によって支持される。支持プレート７１のパネル支持部７２は、その外周壁面７３にて液晶表示パネル８０の画素電極側電極板８５のパネル側貫通孔８９の内壁９０を回転軸２１とパネル側貫通孔８９の中心軸とがほぼ一致するように支持している。
【００５０】
なお、支持プレート７１が支持する回路基板４０および回路基板４０に支持されるムーブメント２０の構成については上記第１実施形態と同じであるため説明は省略する。
【００５１】
ＥＬパネル６０を液晶表示パネル８０に代えた場合であっても、支持プレート７１によって、回転軸２１と液晶表示パネル８０のパネル側貫通孔８９の中心軸とがほぼ一致するように、ムーブメント２０と液晶表示パネル８０との位置関係を定めることができる。
【００５２】
（第２実施形態）
図５は、本発明の第２実施形態を示している。ここでは、上記第１実施形態と異なる部分のみ説明する。
【００５３】
図５に示すように、支持プレート７１のパネル支持部７２は、ＥＬパネル６０の陰極側電極板６３のパネル側貫通孔６７の内壁６８のみを支持して、ムーブメント２０の回転軸２１とパネル側貫通孔６７の中心軸とをほぼ一致させている。
【００５４】
これにより、陽極側電極６２のパネル側貫通孔６７の内径を陰極側電極板６３のパネル側貫通孔６７の内径よりも小さくすることができる。その結果、指針３０の回転基部３２、つまり遮光キャップ３４の外径を小さくすることができ、指針３０の見栄えを向上させることができる。
【００５５】
パネル側貫通孔６７には、内壁６８およびパネル支持部７２の内壁を覆うカバー１００ａが設けられている。これにより、発光ダイオード４２から発せられる光がＥＬパネル６０に侵入することを防止することができる。
【００５６】
また、図６に示すように、ＥＬパネル６０を液晶表示パネル８０に代えた場合では、画素電極側電極板８５のパネル側貫通孔８９の内壁９０のみを支持プレート７１のパネル支持部７２に支持させることにより、対向電極側電極板８４のパネル側貫通孔８９の内径を極力小さくできる。これにより、遮光キャップ３４の外径を極力小さくすることができ、指針３０の見栄えを向上させることができる。
【図面の簡単な説明】
【００５７】
【図１】本発明の第１実施形態による指針計器を有したコンビネーションメータの正面図である。
【図２】図１中のＩＩ−ＩＩ線の断面図である。
【図３】本発明の第１実施形態の電気回路の構成を示すブロック図である。
【図４】本発明の第１実施形態の変形例による指針計器の断面図である。
【図５】本発明の第２実施形態による指針計器の断面図である。
【図６】本発明の第２実施形態の変形例による指針計器の断面図である。
【符号の説明】
【００５８】
１０  コンビネーションメータ、１２  車速計（指針計器）、２０  ムーブメント（駆動装置）、２１  回転軸（回転軸）、２２  モータ部（駆動部）、３０  指針（指針）、３２  回転基部（回転基部）、３４  遮光キャップ、４０  回路基板、４３  コントローラ（制御装置）、６０  ＥＬパネル（表示パネル、自発光表示パネル）、６１  表示面、６２  陽極側電極板（電極板）、６３  陰極側電極板（電極板）、６４  自発光物質、６５  外周側シール部材、６６  内周側シール部材、６７  パネル側貫通孔、６８  内壁、６９  指標、７０  ケース、７１  支持プレート（支持部材）、７２  パネル支持部（パネル支持部）、７３  外周壁面（支持面）、８０  液晶表示パネル（表示パネル、液晶表示パネル）、８１  表示面、８２  バックライト（光源）、８３  液晶パネル部（液晶パネル部）、８４  対向電極側電極板（電極板）、８５  画素電極側電極板（電極板）、８６  液晶、８７  外周側シール部材、８８  内周側シール部材、８９  パネル側貫通孔、９０  内壁
【図１】
0005012358.tif 000002
【図２】
0005012358.tif 000003
【図３】
0005012358.tif 000004
【図４】
0005012358.tif 000005
【図５】
0005012358.tif 000006
【図６】
0005012358.tif 000007